(57)【要約】【課題】操作部へ容易に装着可能な洗浄アダプタを提供する。【解決手段】内視鏡内に形成される管路の複数のシリンダ口と管路内に洗浄液を供給可能な洗浄系とを接続するための内視鏡用洗浄アダプタであって，一方端が洗浄系に接続可能であり，他方端がシリンダ口に接続可能な複数の接続部が列状に配された連結板と，複数のシリンダ口を把持可能なシリンダ口把持部を具備し，連結板に設けられた接続部の配列方向に沿って摺動可能な摺動部とを備え，各接続部は，軸部にばねが巻着されたシリンダ形状を有しており，摺動部のシリンダ口把持動作時に，ばねの復元力に抗して連結板に対して軸部の軸方向に移動可能であり，少なくとも一つの接続部のばねのばね係数は，他の接続部のばねのばね係数よりも小さいことを特徴とする。【選択図】　図２
2004049699.tif 000002
【特許請求の範囲】
【請求項１】
内視鏡内に形成される管路の複数のシリンダ口と該管路内に洗浄液を供給可能な洗浄系とを接続するための内視鏡用洗浄アダプタであって：
一方端が前記洗浄系に接続可能であり，他方端が前記シリンダ口に接続可能な複数の接続部が列状に配された連結板と；
前記複数のシリンダ口を把持可能なシリンダ口把持部を具備し，前記連結板に設けられた前記接続部の配列方向に沿って摺動可能な摺動部とを備え；
前記各接続部は，軸部にばねが巻着されたシリンダ形状を有しており，前記摺動部のシリンダ口把持動作時に，前記ばねの復元力に抗して前記連結板に対して前記軸部の軸方向に移動可能であり；
少なくとも一つの接続部のばねのばね係数は，他の接続部のばねのばね係数よりも小さいことを特徴とする，内視鏡用洗浄アダプタ。
【請求項２】
前記軸部の一端部に前記連結板に対する摺動範囲制限部を設けることを特徴とする，請求項１に記載の内視鏡用洗浄アダプタ。
【請求項３】
前記ばねが最収縮した状態において，前記軸部に具備された前記固定部材の下端から前記弾性部材に設けられた凸部までの距離が，前記ばねが縮んだ長さより大きいことを特徴とする，請求項１に記載の内視鏡用洗浄アダプタ。
【発明の詳細な説明】
【０００１】
【発明の属する技術分野】
本発明は内視鏡用の洗浄アダプタにかかり，特に洗浄アダプタの連結板に具備された接続部の構造に関する。
【０００２】
【従来の技術】
一般に，生体腔内の観察，検査，診断等に使用される内視鏡は，内部に送気／送水管路，および吸引管路等の複数の管路が組み込まれている。このため衛生上の検知から使用後の内視鏡を洗浄消毒する際には，その外表面部のみならず，上記各種管路内も内視鏡管路洗浄器を用いて充分に洗浄，消毒する必要がある。
【０００３】
そのために，洗浄系として使用される内視鏡管路洗浄器に設けられた洗浄アダプタを，内視鏡操作部に並設された送気／送水用シリンダ，吸引用シリンダの入口部となる各シリンダ口にそれぞれ接続し，洗浄系から洗浄液（消毒液等も含む。）を供給することにより前記管路を同時に洗浄，消毒する。
【０００４】
図８は，従来の洗浄アダプタ１０の構成図であり，（ａ）は洗浄アダプタ１０の垂直方向からの断面図であり，（ｂ）は洗浄アダプタ１０を下から見た図である。
【０００５】
洗浄アダプタ１０は，主に開口部１２ａから閉口部１２ｂに向かい略Ｕ字型のスリットを設けたシリンダ口把持部１２が具備された摺動部１４と，かかる摺動部１４に対して水平方向に摺動可能に設けられた連結板１６とから構成される。かかる連結板１６には，送気／送水用シリンダ洗浄接続部１８と吸引用シリンダ洗浄接続部２０が，連結板１６に対して垂直方向可動に具備されている。
【０００６】
送気／送水用シリンダ洗浄接続部１８には，消毒液等が導通する管路を具備する第１の軸部２２に，ばね係数αの第１のばね２４が巻着され，かかる第１のばね２４は，連結板１６と，第１のばね２４の一端を固定する軸部２２に設けられた第１の固定部材２６との間に備えられている。また第１の固定部材２６の下部には，洗浄アダプタ１０を操作部へ装着時に，送気／送水用管路と接続された送気／送水用シリンダの入口部となる送気／送水用シリンダ口（図示せず）との気密性を維持するために，例えば，材質がシリコン系のゴムからなるゴムパッキン等の第１の弾性部材２８が具備されている。
【０００７】
吸引用シリンダ洗浄接続部２０は，送気／送水用シリンダ洗浄接続部１８と同様に，消毒液等が導通する管路を具備する第２の軸部３０にばね係数βの第２のばね３２が巻着され，かかる第２のばね３２は，連結板１６と，第２のばね３２の一端を固定する軸部３０に設けられた第２の固定部材３４との間に備えられている。また，第２の固定部材３４の下部には，洗浄アダプタ１０を操作部（図示せず）へ装着時に，吸引用管路と接続された吸引用シリンダの入口部となる吸引用シリンダ口（図示せず）との気密性を維持するために，例えば材質がシリコン系のゴムからなるゴムパッキン等の第２の弾性部材３６が具備されている。
【０００８】
かかる洗浄アダプタ１０は，洗浄等に使用する時には，まず送気／送水用シリンダ洗浄接続部端部１８ａ，吸引用シリンダ洗浄接続部端部２０ａを洗浄系と接続する。次に内視鏡操作部に並設された送気／送水用管路，および吸引用管路と接続された各シリンダの入口部となる各シリンダ口に設けられたフランジ部（図示せず）に，シリンダ口把持部１２を挟着させて，連結板１６に対して摺動部１４を送気／送水用シリンダ洗浄接続部１８から吸引用シリンダ洗浄接続部２０の方向に摺動して，フランジ部をシリンダ口把持部１２と固定部材２６，３４に挟持させることにより，洗浄アダプタ１０が操作部に装着される。かかる洗浄アダプタ１０を使用すれば，送気／送水用シリンダ洗浄接続部１８と吸引用シリンダ洗浄接続部２０を送気／送水用シリンダ口，および吸引用シリンダ口に一度の作業で接続できるので，作業の効率化が図れる。
【０００９】
【発明が解決しようとする課題】
しかしながら，従来の洗浄アダプタ１０では，送気／送水用シリンダ洗浄接続部１８に巻着された第１のばね２４のばね係数αと，吸引用シリンダ洗浄接続部２０に巻着された第２のばね３２のばね係数βが同じ大きさである。
【００１０】
このため，洗浄アダプタ１０を操作部に設けられた各シリンダに装着するのに，送気／送水用シリンダ口，および吸引用シリンダ口に設けられたフランジ部をシリンダ口把持部１２と，各固定部材２６，３４との間に挟着するときに，双方のシリンダ口に設けたフランジ部を挟着するのに同等の力を要することより，洗浄アダプタ１０の装着に余分な力を要することとなった。
【００１１】
また図９で示したように，洗浄アダプタ１０を操作部３８に装着して洗浄液等の液圧を高めた場合，軸部２２，３０に具備されたゴムパッキン等の弾性部材２８，３６の凸部が，送気／送水用シリンダ４０および吸引用シリンダ４２のシリンダ口４０ａ，４２ａから外れてしまい，洗浄液が漏れてしまうという課題もあった。
【００１２】
本発明は，従来の内視鏡用の洗浄アダプタが有する上記問題点に鑑みてなされたものであり，本発明の目的は，操作部へ容易に着脱の可能な，新規かつ改良された内視鏡用の洗浄アダプタを提供することである。
【００１３】
さらに，本発明の別の目的は，洗浄時に洗浄液の液圧を高めても軸部に具備されたゴムパッキン等の弾性部材の凸部が送気／送水用シリンダ口および吸引用シリンダ口から外れることのない，新規かつ改良された内視鏡用の洗浄アダプタを提供することである。
【００１４】
【課題を解決するための手段】
上記課題を解決するため，本発明の第１の観点によれば，内視鏡内に形成される管路の複数のシリンダ口と管路内に洗浄液を供給可能な洗浄系とを接続するための内視鏡用洗浄アダプタであって，一方端が洗浄系に接続可能であり，他方端がシリンダ口に接続可能な複数の接続部が列状に配された連結板と，複数のシリンダ口を把持可能なシリンダ口把持部を備え，連結板に設けられた接続部の配列方向に沿って摺動可能な摺動部とを備え，各接続部は，軸部にばねが巻着されたシリンダ形状を有しており，摺動部のシリンダ口把持動作時に，ばねの復元力に抗して連結板に対して軸部の軸方向に移動可能であり，少なくとも一つの接続部のばねのばね係数は，他の接続部のばねのばね係数よりも小さいことを特徴とする，内視鏡用洗浄アダプタが提供される。
【００１５】
このとき，軸部の一端部に連結板に対する摺動範囲を制限するショルダ部を設けても良い。
【００１６】
洗浄アダプタを内視鏡操作部に並設された各管路と接続された各シリンダの入口部となるシリンダ口に設けられたフランジ部に装着するときに，連結板（１２６）に設けられた接続部（１１４，１１６）の配列方向に沿って，摺動部（１２２）を連結板に対して摺動させることにより，最初にシリンダ口把持部（１２４）に把持される位置側にあるシリンダ口（２０６ａ）のフランジ部（２２６）がシリンダ口把持部（１２４）と軸部（１４２）に設けられた固定部材（１４６）とによって挟持されるものの，洗浄アダプタをかかる構成とすることにより，例えば最初にシリンダ口把持部に把持されるシリンダ口と接続される接続部のばねのばね係数を他のばねのばね係数より小さくすることにより，最初にシリンダ口把持部に把持される位置側にあるシリンダ口のフランジ部を挟持するのに，より小さい力で挟持できるようになり，操作部へ容易に，かつ円滑に装着が可能となる。
【００１７】
また，ばねが最収縮した状態において，軸部に具備された固定部材の下端から弾性部材に設けられた凸部までの距離が，ばねが縮んだ長さより大きいことことを特徴とする，内視鏡用洗浄アダプタを提供することも可能である。
【００１８】
洗浄時に洗浄液の液圧を高めると，シリンダ内から溢出される洗浄液等の液圧により軸部に固設された固定部材が押圧されることにより，ばねが収縮されるが，かかる構成とすることにより，洗浄時の液圧を高めても弾性部材の凸部が内視鏡操作部に具備された各シリンダ口から外れないことより，洗浄液の漏れを防止することが実現される。
【００１９】
【発明の実施の形態】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２０】
図１は，内視鏡２００と，内視鏡２００内の管路を洗浄する洗浄系をなす内視鏡管路洗浄器１００と，内視鏡２００と内視鏡管路洗浄器１００とを接続する洗浄アダプタ１１２の全体構成図である。内視鏡２００の内部には，送気／送水管路，および吸引管路等の複数の管路（図示せず）が組み込まれ，衛生上の見地から内視鏡２００を使用後に洗浄する。その際には，内視鏡２００の外表面部のみならず，上記各種管路内も内視鏡管路洗浄器１００を用いて充分に洗浄，消毒する必要がある。
【００２１】
洗浄系をなす内視鏡管路洗浄器１００は，図１に示すように逆止弁付き配管具１０２を介して注射筒１０４と送液チューブ１０６が接続され，かかる送液チューブ１０６は，三方活栓１０８を介して分岐チューブ１１０ａ，１１０ｂに接続され，かかる分岐チューブ１１０ａ，１１０ｂの先端部１１０ａ´，１１０ｂ´は，洗浄アダプタ１１２に具備された接続部，本実施形態の例では送気／送水用シリンダ洗浄接続部１１４，吸引用シリンダ洗浄接続部１１６の端部１１４ａ，１１６ａに接続される。また，逆止弁付き配管具１０２から吸引チューブ１１８が分岐され，吸引チューブ１１８の先端部１２０は，洗浄（消毒）液が貯留されている洗浄（消毒）液タンク（図示せず）内に挿入されている。注射筒１０４を往復動させることにより洗浄（消毒）液を供給し，前記管路を同時に洗浄（消毒）する。
【００２２】
（第１の実施の形態）
図２は，本発明の第１の実施の形態の洗浄アダプタ１１２を，内視鏡操作部２０２に列状に配された複数のシリンダ口，例えば送気／送水用シリンダ２０４の入口部となる送気／送水用シリンダ口２０４ａ，および吸引用シリンダ２０６の入口部となる吸引用シリンダ口２０６ａに接続する動作を示す図であり，（ａ）は，洗浄アダプタ１１２を操作部２０２へ装着する前のシリンダ口開放の状態，（ｂ）は，洗浄アダプタ１１２を操作部２０２に装着して摺動部１２２でシリンダ口２０４ａ，２０６ａのフランジ部（図示せず）を把持する前の状態，および（ｃ）は，洗浄アダプタ１１２を操作部２０２に装着して摺動部１２２でシリンダ口２０４ａ，２０６ａのフランジ部を把持した後のシリンダ口把持状態を示す。なお，ここで洗浄アダプタ１１２には，予め洗浄系となる内視鏡管路洗浄器１００の分岐チューブ１１０ａ，１１０ｂの先端部１１０ａ´，１１０ｂ´が洗浄アダプタ１１２に具備された送気／送水用シリンダ洗浄接続部１１４，吸引用シリンダ用洗浄接続部１１６に接続されている。
【００２３】
内視鏡２００は，挿入部２０８，操作部２０２，ユニバーサルコード部２１０およびコネクタ部（図示せず）から主に構成されている。操作部２０２に設けられた送気／送水用シリンダ２０４は，先端部側送気管路２１２，先端部側送水管路２１４，コネクタ部側送気管路２１６，およびコネクタ部側送水管路２１８と接続され，吸引用シリンダ２０６は，先端部側吸引管路２２０，およびコネクタ部側吸引管路２２２と接続されている。先端部側吸引管路２２０は，途中で鉗子チャネル２２３と合流する構造となっている。
【００２４】
まず，図２（ａ）に示したように，予め洗浄系となる内視鏡管路洗浄器１００の分岐チューブ１１０ａ，１１０ｂの先端部１１０ａ´，１１０ｂ´が接続された洗浄アダプタ１１２に具備された送気／送水用シリンダ洗浄接続部１１４と吸引用シリンダ洗浄接続部１１６とを，それぞれ送気／送水用シリンダ口２０４ａ，吸引用シリンダ口２０６ａに接続するように洗浄アダプタ１１２を内視鏡２００の操作部２０２に近づける。
【００２５】
送気／送水用シリンダ洗浄接続部１１４と吸引用シリンダ洗浄接続部１１６とを，それぞれ送気／送水用シリンダ口２０４ａ，吸引用シリンダ口２０６ａに接続させたら，図２（ｂ）に示すように，洗浄アダプタ１１２に具備された摺動部１２２を連結板１２６に設けられた接続部１１４，１１６の配列方向に沿って，連結板１２６に対して，シリンダ口把持部１２４より各シリンダ口２０４ａ，２０６ａを開放させる位置から，各シリンダ口２０４ａ，２０６ａをシリンダ口把持部１２４で把持する位置の方向，つまり本実施形態における送気／送水用シリンダ洗浄接続部１１４から吸引用シリンダ洗浄接続部１１６に向かう方向に動かす。
【００２６】
摺動部１２２を動かし，操作部２０２のシリンダ口２０４ａ，２０６ａを把持することにより，図２（ｃ）で示すように，洗浄アダプタ１１２の操作部２０２への装着が完了する。なお，洗浄アダプタ１１２の摺動部１２２による操作部２０２のシリンダ口２０４ａ，２０６ａを把持する動作については，後述する。
【００２７】
図２の各状態での動作，および洗浄アダプタ１１２の構成をより詳細に説明するために，洗浄アダプタ１１２周辺の拡大断面図，図３，図４，および図５を用いて説明する。なお，図３は，図２（ａ）の洗浄アダプタ１１２周辺の拡大図，図４は，図２（ｂ）の洗浄アダプタ１１２周辺の拡大図，および図５は，図２（ｃ）の洗浄アダプタ１１２周辺の拡大図である。また図３〜５の（ａ）は，本実施形態の洗浄アダプタ１１２を上から見た図であり，（ｂ）は，本実施形態の洗浄アダプタ１１２の垂直方向の断面図であり，（ｃ）は，本実施形態の洗浄アダプタ１１２を下から見た図である。
【００２８】
まず，本実施形態の洗浄アダプタ１１２の構成について，図３を用いて説明する。洗浄アダプタ１１２は，主にシリンダ口把持部１２４を備えた摺動部１２２と連結板１２６とから構成されている。シリンダ口把持部１２４の材質は，例えばＳＵＳ等の板材から成り，形状は，図３（ｃ）で示すような，例えば開口部１２４ａから閉口部１２４ｂに向かい形成された略Ｕ字型のスリットとして形成されている。
【００２９】
摺動部１２２とシリンダ口把持部１２４は，本実施形態では一体となって形成されている。また連結板１２６は，摺動部１２２に対して水平方向に摺動可能に設けられている。かかる連結板１２６には，接続部として送気／送水用シリンダ洗浄接続部１１４と吸引用シリンダ洗浄接続部１１６が，列状に配されるように連結板１２６に対して垂直方向可動に設けられている。
【００３０】
図３（ｂ）に示すように，送気／送水用シリンダ洗浄接続部１１４には，洗浄液等が導通する管路１２８を具備する第１の軸部１３０に第１のばね１３２が巻着され，かかる第１のばね１３２は，連結板１２６と，第１のばね１３２の一端を固定する軸部１３０に固設された第１の固定部材１３４との間に設けられている。
【００３１】
送気／送水用シリンダ洗浄接続部１１４の一端部１１４ａには，凸部１１４ｂ，１１４ｃが設けられ，洗浄系となる内視鏡管路洗浄器１００の分岐チューブ１１０ａの先端部１１０ａ´との接続が外れにくくなるように構成されている。
【００３２】
また，第１の固定部材１３４の下部には，洗浄アダプタ１１２を操作部２０２へ装着時に，送気／送水用シリンダ口２０４ａとの気密性を維持するために，例えば材質がシリコン系のゴムからなるゴムパッキン等の第１の弾性部材１３６が具備されている。
【００３３】
さらに，本実施形態では，送気／送水用シリンダ洗浄接続部１１４の軸部１３０には，その一端部に連結板１２６に対する摺動範囲を制限する第１のショルダ部１３８が設けられている。かかる第１のショルダ部１３８により，第１のばね１３２が最収縮した状態でも，軸部１３０に設けたショルダ部１３８が連結板１２６に掛かることにより，固定部材１３４の下部に設けた第１の弾性部材１３６の送気／送水用シリンダ口２０４ａからの抜脱を防止できる。
【００３４】
吸引用シリンダ洗浄接続部１１６には，消毒液等が導通する管路１４０を具備する第２の軸部１４２に，第１のばね１３２のばね係数α´より，ばね係数β´の小さい第２のばね１４４が巻着され，かかる第２のばね１４４は，連結板１２６と，第２のばね１４４の一端を固定する軸部１４２に固設された第２の固定部材１４６との間に設けられている。
【００３５】
吸引用シリンダ洗浄接続部１１６の一端部１１６ａには，凸部１１６ｂ，１１６ｃが設けられ，洗浄系となる内視鏡管路洗浄器１００の分岐チューブ１１０ｂの先端部１１０ｂ´との接続が外れにくくなるように構成されている。
【００３６】
また，第２の固定部材１４６の下部には，洗浄アダプタ１１２を操作部２０２へ装着時に，吸引用シリンダ口２０６ａとの気密性を維持するために，例えば材質がシリコン系のゴムからなるゴムパッキン等の第２の弾性部材１４８が具備されている。
【００３７】
さらに，本実施形態では，吸引用シリンダ洗浄接続部１１６の軸部１４２には，その一端部に連結板１２６に対する摺動範囲を制限する第２のショルダ部１５０が設けられている。かかる第２のショルダ部１５０により，第２のばね１４４が最収縮した状態でも，軸部１４２に設けたショルダ部１５０が連結板１２６に掛かることにより，固定部材１４６の下部に設けた第２の弾性部材１４８の吸引用シリンダ口２０６ａからの抜脱を防止できる。
【００３８】
また，本実施形態の洗浄アダプタ１１２が装着される内視鏡操作部２０２に具備された送気／送水用シリンダ口２０４ａ，吸引用シリンダ口２０６ａの周縁部には，それぞれフランジ部２２４，２２６が設けられている。
【００３９】
次に，本実施形態における動作について図３〜５を用いて説明する。
【００４０】
まず，図３に示すように，送気／送水用シリンダ２０４の入口部となる送気／送水用シリンダ口２０４ａ，吸引用シリンダ２０６の入口部となる吸引用シリンダ口２０６ａへ，予め洗浄系（図示せず）に接続された送気／送水用シリンダ洗浄接続部１１４，吸引用シリンダ洗浄接続部１１６をそれぞれ挿入する。
【００４１】
次に，図４に示すように，操作部２０２に列状に配された送気／送水用シリンダ口２０４ａ，および吸引用シリンダ口２０６ａの周縁部に設けられた各フランジ部２２４，２２６にシリンダ口把持部１２４を挟着させるように摺動部１２２を連結板１２６に対して，連結板１２６に設けられた接続部１１４，１１６の配列方向に沿って，シリンダ口開放位置からシリンダ口把持位置の方向，つまり本実施形態におけるシリンダ口把持部の閉口部側にある送気／送水用シリンダ洗浄接続部１１４からシリンダ口把持部の開口部側にある吸引用シリンダ洗浄接続部１１６に向かう方向に摺動させる。
【００４２】
摺動部１２２を連結板１２６に対して摺動させることにより，図５に示すように，各シリンダ口２０４ａ，２０６ａの各フランジ部２２４，２２６をシリンダ口把持部１２４と各固定部材１３４，１４６との間に挟持させる。このとき，かかる固定部材１３４，１４６が押動されることにより，ばね１３２，１４４が収縮し，かかるばね１３２，１４４の復元力で固定部材１３４，１４６を介して各シリンダ口２０４ａ，２０６ａの各フランジ部２２４，２２６を押止することにより，洗浄アダプタ１１２が操作部２０２に装着される。
【００４３】
このとき，連結板１２６に対して摺動部１２２を，連結板１２６に設けられた接続部１１４，１１６の配列方向に沿って，シリンダ口開放位置からシリンダ口把持位置の方向，つまり本実施形態における送気／送水用シリンダ洗浄接続部１１４から吸引用シリンダ洗浄接続部１１６に向かう方向に摺動させることにより，吸引用シリンダ口２０６ａの周縁部に設けたフランジ部２２６からシリンダ口把持部１２４と固定部材１４６に挟持される。
【００４４】
また，本実施形態では，送気／送水用シリンダ洗浄接続部１１４に巻着された第１のばね１３２のばね係数α´よりも，吸引用シリンダ洗浄接続部１１６に巻着された第２のばね１４４のばね係数β´を小さくしている。
【００４５】
このため，各フランジ部２２４，２２６にシリンダ口把持部１２４を挟着させるのに，後でシリンダ口把持部に把持される位置側にある接続部側，つまり送気／送水用シリンダ洗浄接続部１１４側に備わる第１の固定部材１３４を押動するよりも，より小さい力で，最初にシリンダ口把持部に把持される位置側にあるシリンダ口と接続される接続部側，つまり吸引用シリンダ洗浄接続部１１６側に備わる第２の固定部材１４６を押動することになる。
【００４６】
従って，先に装着される吸引用シリンダ洗浄接続部１１６側から操作部２０２のシリンダ口２０６ａに，より小さい力で装着し，一旦操作部２０２に固定された後に強い力で装着されることにより，洗浄アダプタ１１２の操作部２０２への装着がより円滑に，かつ容易になる。
【００４７】
（第２の実施の形態）
図６は，本発明の第２の実施の形態の洗浄アダプタ３１２を操作部２０２に装着させた状態を示す図である。
【００４８】
本実施形態は，第１の実施の形態と異なり，送気／送水用シリンダ洗浄接続部３１４と吸引用シリンダ洗浄接続部３１６の軸部３３０，３４２に，摺動部１２２に対する軸部３３０，３４２の一端に摺動範囲を制限するショルダ部が設けられていない。
【００４９】
しかしながら，図６に示したように，洗浄アダプタ３１２を操作部２０２に装着させたとき，洗浄時の水圧を高めると固定部材１３４，１４４が押動されることにより，ばね１３２，１４４が最収縮された状態となるが，本実施形態の洗浄アダプタ３１２では，各軸部３３０，３４２に具備された固定部材１３４，１４６の下端から弾性部材１３６，１４８の凸部１３６ａ，１４８ａまでの距離が，各軸部３３０，３４２に具備されたばね１３２，１４４が縮んだ長さより大きいことより，各軸部３３０，３４２に具備された弾性部材１３６，１４８の凸部１３６ａ，１４８ａが操作部２０２に並設された送気／送水用シリンダ口２０４ａ，および吸引用シリンダ口２０６ａから外れない位置に設けられていることになる。
【００５０】
このため，第１の実施の形態のように，軸部３３０，３４２の一端部に，連結板１２６に対する軸部３３０，３４２の摺動範囲を制限するショルダ部が設けられていなくとも，本実施形態では，ばね１３２，１４４が最収縮時でも，各軸部３３０，３４２に具備された弾性部材１３６，１４８の凸部１３６ａ，１４８ａが操作部２０２に並設された送気／送水用シリンダ口２０４ａ，および吸引用シリンダ口２０６ａから外れないことより，洗浄時に液圧を高めた場合でも，洗浄液漏れを防止することが可能となる。
【００５１】
なお，本実施形態は上記の構成および動作以外の内容については，第１の実施の形態と同様であるので，以下かかる説明は，省略する。
【００５２】
以上，添付図面を参照しながら本発明の好適な実施形態について説明したが，本発明は，かかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５３】
例えば，本発明の第１の実施の形態では，操作部には送気／送水用シリンダ口，吸引用シリンダ口の２つのシリンダ口を把持して装着される洗浄アダプタであることより，連結板には送気／送水用，および吸引用の２つの接続部が列状に配されているが，かかる連結板に３つ以上の接続部を設けることにより，操作部に３つ以上のシリンダ口を備えた内視鏡の洗浄にも応用が可能である。
【００５４】
このとき，各接続部に具備されているばねのばね係数は，例えば，最初にシリンダ口把持部に把持される位置側にあるシリンダ口と接続される接続部のばねのばね係数を最小に，シリンダ口把持部に把持される順番にシリンダ口と接続される接続部に設けられたばねのばね係数が段階的に大きくなるような構成や，最初にシリンダ口把持部に把持される位置側にあるシリンダ口と接続される接続部のばねのばね係数を最小にして，他の全ての接続部に設けられたばねのばね係数が最初にシリンダ口把持部に把持される位置側にある接続部のばねのばね係数より大きく，かつ他の全ての接続部に設けられたばねのばね係数が同じ大きさとなるような構成とすることにより，本発明の第１の実施の形態と同様の効果を得ることができる。
【００５５】
また，送気／送水用シリンダ口と吸引用シリンダ口の配置が第１の実施の形態で取り上げた内視鏡に設けられた送気／送水用シリンダ口と吸引用シリンダ口の配置と逆である場合にも，同様の効果を得ることができる。
【００５６】
さらに，本実施形態では，洗浄系の注射筒から洗浄液が供給されることにより，内視鏡の内部管路の洗浄に利用されているが，注射筒から消毒液等の他の用途の液を入れることにより，消毒等の他の用途で利用することも可能である。
【００５７】
【発明の効果】
以上説明したように，本発明によれば，洗浄アダプタを操作部に設けられた各シリンダ口に装着するのに，従来では各接続部に設けられたばねのばね係数が同じであったため，各シリンダ口に設けたフランジ部を挟着するのに同等の力を要し，洗浄アダプタの装着に余分な力を使うのに対し，最初にシリンダ口把持部に把持される位置側にある吸引用シリンダ口側のフランジ部をシリンダ口把持部と軸部に設けた固定部材で挟持するのに，より小さい力で挟持することより，洗浄アダプタを操作部へ，より容易に，かつ円滑に装着可能となる。
【００５８】
また，本発明によれば，洗浄時に液圧を高めた場合でも，各洗浄接続部に具備された弾性部材の凸部が操作部に並設された送気／送水用シリンダ口，および吸引用シリンダ口から外れないことより，洗浄液の液圧を高めても，各シリンダ口からの液漏れを防止することが可能となる。
【図面の簡単な説明】
【図１】内視鏡管路洗浄器，内視鏡，および洗浄アダプタの全体構成図である。
【図２】本発明の第１の実施の形態の洗浄アダプタを操作部に装着する動作を示す図であり，（ａ）は洗浄アダプタを操作部へ装着する前の状態，（ｂ）は洗浄アダプタのシリンダ口把持部で操作部のシリンダ口を把持する前の状態，および（ｃ）は洗浄アダプタのシリンダ口把持部で操作部のシリンダ口を把持した後の状態を示す。
【図３】図２（ａ）の洗浄アダプタ周辺の拡大断面図であり，（ａ）は上から見た図であり，（ｂ）は垂直方向の断面図であり，（ｃ）は下から見た図である。
【図４】図２（ｂ）の洗浄アダプタ周辺の拡大断面図であり，（ａ）は上から見た図であり，（ｂ）は垂直方向の断面図であり，（ｃ）は下から見た図である。
【図５】図２（ｃ）の洗浄アダプタ周辺の拡大断面図であり，（ａ）は上から見た図であり，（ｂ）は垂直方向の断面図であり，（ｃ）は下から見た図である。
【図６】本発明の第２の実施の形態の洗浄アダプタを操作部に装着させた状態を示す図である。
【図７】本発明の第２の実施の形態の洗浄アダプタを操作部に装着させ，ばねが最も縮んだ状態を示す図である。
【図８】従来の洗浄アダプタの構成図であり，（ａ）は垂直方向の断面図であり，（ｂ）は下から見た図である。
【図９】従来の洗浄アダプタを操作部に装着させ，ばねが最も縮んだ状態を示す図である。
【符号の説明】
１００　　内視鏡管路洗浄器
１０２　　逆止弁付き配管具
１０４　　注射筒
１０６　　送液チューブ
１０８　　三方活栓
１１０ａ，１１０ｂ　　分岐チューブ
１１２，３１２　　洗浄アダプタ
１１４，３１４　　送気／送水用シリンダ洗浄接続部
１１６，３１６　　吸引用シリンダ洗浄接続部
１１８　　吸引チューブ
１２０　　先端部
１２２　　摺動部
１２４　　シリンダ口把持部
１２４ａ　　開口部
１２４ｂ　　閉口部
１２６　　連結板
１２８，１４０　　管路
１３０，１４２，３３０，３４２　　軸部
１３２，１４４　　ばね
１３４，１４６　　固定部材
１３６，１４８　　弾性部材
１３８，１５０　　ショルダ部
２００　　内視鏡
２０２　　操作部
２０４　　送気／送水用シリンダ
２０４ａ　　送気／送水用シリンダ口
２０６　　吸引用シリンダ
２０６ａ　　吸引用シリンダ口
２０８　　挿入部
２１０　　コネクタ部
２１２　　先端部側送気管路
２１４　　先端部側送水管路
２１６　　コネクタ部側送気管路
２１８　　コネクタ部側送水管路
２２０　　先端部側吸引管路
２２２　　コネクタ部側吸引管路
２２３　　鉗子チャネル
２２４，２２６　　フランジ部
【図１】
2004049699.tif 000003
【図２】
2004049699.tif 000004
【図３】
2004049699.tif 000005
【図４】
2004049699.tif 000006
【図５】
2004049699.tif 000007
【図６】
2004049699.tif 000008
【図７】
2004049699.tif 000009
【図８】
2004049699.tif 000010
【図９】
2004049699.tif 000011